(57)【要約】【課題】シリンジ接続管の内腔のデッドスペースがないため、残液が滞留することなく薬液等を確実に投与することができ、また容易にシリンジ接続管にコネクタや螺合式のシリンジ等を直接接続して螺合することができる医療用活栓を提供すること。【解決手段】略円筒状の本体（２）の前方と後方に略円筒状の分岐管（３、３）を形成し、前記本体（２）の側部に前記分岐管（３、３）と略同尺で略円筒状のシリンジ接続管（４）を突設し、前記本体（２）の内部に栓体（６）の切換部（１０）を装着し、外部に栓体（６）のハンドル部（５）を形成し、前記切換部（１０）は、断面が矩形の軸部（１０ａ）を有し、当該軸部（１０ａ）の側部に弓状の封鎖部（１０ｂ）を形成した医療用活栓（１）。【選択図】図１
0003120790.tif 000002
【実用新案登録請求の範囲】
【請求項１】
略円筒状の本体（２）の前方と後方に略円筒状の分岐管（３、３）を形成し、前記本体（２）の側部に前記分岐管（３、３）と略同尺で略円筒状のシリンジ接続管（４）を突設し、
前記本体（２）の内部に栓体（６）の切換部（１０）を装着し、外部に栓体（６）のハンドル部（５）を形成し、
前記切換部（１０）は、断面が矩形の軸部（１０ａ）を有し、当該軸部（１０ａ）の側部に弓状の封鎖部（１０ｂ）を形成したことを特徴とする医療用活栓（１）。
【請求項２】
切換部（１０）の軸部（１０ａ）の長さは、本体（２）内腔の直径（Ｄ）に対して、略１／３（Ｄ）から略２／３（Ｄ）であることを特徴とする請求項１記載の医療用活栓（１）。
【請求項３】
シリンジ接続管（４）の略上部から略下部に亘る内腔に、略有底円筒状で底部の中央にスリット（９）を形成した弾性部材（８）を装着したことを特徴とする請求項１記載の医療用活栓（１）。
【請求項４】
請求項１ないし請求項３に記載の医療用活栓（１）を含む医療用具。
【考案の詳細な説明】
【技術分野】
【０００１】
本考案は、デッドスペースを少なくした医療用活栓の改良に関するものである。
【背景技術】
【０００２】
現在の医療用活栓として、例えば図７、図８に例示するものが使用されている。
医療用活栓３１は、略円筒状の本体３２の前方と後方に略円筒状の分岐管３３、３３を形成し、前記本体３２の側部に前記分岐管３３、３３と略同尺で略円筒状のシリンジ接続管３４を突設している。
使用に際して（薬液注入時）は、図７に例示するように、シリンジ４１のノズル部４２の外周壁を、シリンジ接続管３４の側端部から略中央に亘る内周壁に嵌合させる。このときシリンジ接続管３４の略中央から上部に亘る内腔、さらに液体流路３７に至るまでデッドスペースＳができる。デッドスペースＳが大きいとその空間で薬液残余量が多くなってしまい、薬液（薬剤）の過少投与や外部から細菌、真菌が混入した場合、菌の繁殖を助長する懸念があるので、好ましくない。また、切換部４０の内部空間４０ａでも薬液が残余する。
【０００３】
そこで、これらのデッドスペースＳを少なくする工夫をした医療用活栓として以下のような発明が開示されている。
例えば特許文献１では、シリンジ等を接続する分岐管（本考案のシリンジ接続管４に相当）を短尺化し、さらに隔壁（本考案のスリット９付き弾性体８に相当）を装着することで、前記分岐管の内腔にできるデッドスペースＳを解消している。また軸部（本考案の軸部１０ａに相当）の切換部に円周面に沿う切換路を円弧状溝にしているため、分岐管から注入される薬液は円弧状溝に沿って円滑に流れ、残液が滞留することなく確実に投与することができる。
【０００４】
特許文献２でも同様に、シリンジ等を接続する分岐管（本考案のシリンジ接続管４に相当）を短尺化し、さらに隔壁（本考案のスリット９付き弾性体８に相当）を装着することで、前記分岐管の内腔にできるデッドスペースＳを解消している。また、分岐路（本考案の分岐管３、３とシリンジ接続管４）の円筒部開口と対面する栓体外面を横断するように円弧状溝を形成しているため、分岐管から注入される薬液は円弧状溝に沿って円滑に流れ、残液が滞留することなく確実に投与することができる。
【０００５】
長時間薬液を投与する場合には、分岐管（本考案のシリンジ接続管４）にコネクタを接続し、コネクタから薬液を注入する。この場合前記コネクタが、前記分岐管から外れないように螺合固定するのが好ましい。
【０００６】
【特許文献１】特開Ｈ１１−３４２２０９号公報（図１、図３参照）
【特許文献２】特開２００３−１５９３３６号公報（図１、図３参照）
【考案の開示】
【考案が解決しようとする課題】
【０００７】
本考案が解決しようとする課題は以下の点である。
特許文献１、２の医療用活栓は、分岐管を短尺化しているため、前記分岐管の口径が大きくなり、規定の螺合式コネクタが接続できない。また同様に螺合式のシリンジを分岐管に直接接続して螺合することもできない。そのため、別途の接続具で分岐管とコネクタや螺合式のシリンジを接続しなければならない。このため別途に費用がかかり、使用に際して（薬液注入時）も手間がかかり大変不便である。
【課題を解決するための手段】
【０００８】
そこで本考案者は、以上の課題を解決するために鋭意検討を重ねた結果、以下の考案に到達した。
［１］本考案は、略円筒状の本体（２）の前方と後方に略円筒状の分岐管（３、３）を形成し、前記本体（２）の側部に前記分岐管（３、３）と略同尺で略円筒状のシリンジ接続管（４）を突設し、
前記本体（２）の内部に栓体（６）の切換部（１０）を装着し、外部に栓体（６）のハンドル部（５）を形成し、
前記切換部（１０）は、断面が矩形の軸部（１０ａ）を有し、当該軸部（１０ａ）の側部に弓状の封鎖部（１０ｂ）を形成した医療用活栓（１）を提供する。
［２］本考案は、切換部（１０）の軸部（１０ａ）の長さは、本体（２）内腔の直径（Ｄ）に対して、略１／３（Ｄ）から略２／３（Ｄ）である［１］記載の医療用活栓（１）を提供する。
［３］本考案は、シリンジ接続管（４）の略上部から略下部に亘る内腔に、略有底円筒状で底部の中央にスリット（９）を形成した弾性部材（８）を装着した［１］記載の医療用活栓（１）を提供する。
［４］本考案は、［１］ないし［３］に記載の医療用活栓（１）を含む医療用具を提供する。
【考案の効果】
【０００９】
本考案の医療用活栓１では、液体が前方の分岐管３から切換部１０の軸部１０ａに沿ってシリンジ接続管４方向へ流れ、シリンジ接続管４の上部で液体は後方の分岐管３方向へ迂回して流れる。このため、シリンジ接続管４の内腔のデッドスペースＳはなくなるので、残液が滞留することなく薬液等を確実に投与することができる。
また、別途の接続具を用いることなく、容易にシリンジ接続管４にコネクタ１３や螺合式のシリンジ１１等を直接接続して螺合することができる。
【考案を実施するための最良の形態】
【００１０】
図１は本考案の医療用活栓１の平面図、図２は本考案の医療用活栓１の正面図、図３は図２に例示する医療用活栓１のＡ−Ａ断面図、図４は図３に例示する医療用活栓１にシリンジを接続した状態の断面図、図５は図３の切換部１０を拡大した断面図、図６は図３に例示する医療用活栓１にコネクタ１３を接続した状態の断面図である。
医療用活栓１は、略円筒状の本体２の前方と後方に略円筒状の分岐管３、３を形成し、前記本体２の側部に前記分岐管３、３と略同尺で略円筒状のシリンジ接続管４を突設し、前記本体２の内部に栓体６の切換部１０を装着し、外部に栓体６のハンドル部５を形成している。
ハンドル部５の回動操作により、栓体６の切換部１０で、分岐管３、３とシリンジ接続管４の内腔への液体の流れを調整できるようにしている。
以上の点は公知の医療用活栓と実質的に同じである。
【００１１】
［本体２の材質］
本体２はポリカーボネイト（ＰＣ）、ポリエチレンテレフタレート（ＰＥＴ）、ポリスルフォン（ＰＳ）またはＰＥＴ／ＰＣアロイなどの透明なプラスチック材料からなる。
【００１２】
［切換部１０］
図３に例示するように切換部１０は断面が矩形の軸部１０ａを有し、当該軸部１０ａの側部に弓状の封鎖部１０ｂを形成している。切換部１０が図３の状態では、双方の分岐管３、３とシリンジ接続管４の内腔に液体が流れることができる。図４に例示するようにハンドル部５の回動操作に基づいて、切換部１０の前記分岐管３、３とシリンジ接続管４の内腔への流れを自在に開閉できる。
図５に例示するように前記切換部１０の軸部１０ａの長さは、本体２内腔の直径Ｄに対して、略１／３Ｄから略２／３Ｄであり、軸部１０ａの長さを長くするほど、シリンジ接続管４の内腔にできるデッドスペースＳを小さくすることができる。
【００１３】
［分岐管３、シリンジ接続管４］
分岐管３、３は、本体２の内腔（液体流路７）と連通した内腔（液体流路７）が形成されている。分岐管３は、内腔（液体流路７）または外周壁にテーパを形成しても良いし、外周壁には雌ねじや雄ねじを形成しても良い。
シリンジ接続管４にも、本体２の内腔（液体流路７）と連通した内腔（液体流路７）が形成されている。
シリンジ接続管４の外周壁にテーパを形成しても良いし、外周壁には雌ねじや雄ねじを形成しても良い。
使用時は、まず図３の矢印に例示しているように液体は、前方の分岐管３から切換部１０の軸部１０ａに沿ってシリンジ接続管４方向に流れ、シリンジ接続管４の上部で液体は後方の分岐管３迂回して流れる。このため、シリンジ接続管４の上部のデッドスペースはなくなり、残液が滞留することなく確実に投与することができる。
次にシリンジ接続管４から薬液を投与する場合には、図４に例示するように切換部１０を右に９０度回動させる。そして再び図３に例示するように切換部１０を左に９０度回動させることにより投与された薬液が液体と一緒に流れていく。
長時間薬液を投与する場合には、図６に例示するようにシリンジ接続管４にコネクタ１３を螺合固定して接続する。コネクタ１３から矢印の方向に薬液が流れ、医療用活栓１の液体流路７を流れる液体と混ざり、後方の分岐管３側へ流れていく。
【００１４】
［弾性部材８］
弾性部材８は、略有底円筒状であり、底部の中央にスリット９を形成している。図５に例示するようにシリンジ１１のノズル部１２は、弾性部材８のスリット９から挿入され、シリンジ接続管４に圧入固定される。
弾性部材８は、シリコーンなどの弾性力があるものが好ましく、ポリブタジエンなどの弾性力がある熱可塑性エラストマーでもよい。
【図面の簡単な説明】
【００１５】
【図１】本考案の医療用活栓１の平面図
【図２】本考案の医療用活栓１の正面図
【図３】図２に例示する医療用活栓１のＡ−Ａ断面図
【図４】図３に例示する医療用活栓１にシリンジ１１を接続した状態の断面図
【図５】図３の切換部１０を拡大した断面図
【図６】図３に例示する医療用活栓１にコネクタ１３を接続した状態の断面図
【図７】従来の医療用活栓３１の上面図
【図８】図７にシリンジ４２を挿入した状態の使用断面図
【符号の説明】
【００１６】
１、３１  医療用活栓
２、３２  本体
３、３３  分岐管
４、３４  シリンジ接続管
５、３５  ハンドル部
６、３６  栓体
７、３７  液体流路
８  弾性部材
９  スリット
１０、４０  切換部
１０ａ  軸部
１０ｂ  封鎖部
１１、４１  シリンジ
１２、４２  ノズル部
１３  コネクタ
４０ａ  内部空間
Ｓ  デッドスペース
Ｔ  チューブ
【図１】
0003120790.tif 000003
【図２】
0003120790.tif 000004
【図３】
0003120790.tif 000005
【図４】
0003120790.tif 000006
【図５】
0003120790.tif 000007
【図６】
0003120790.tif 000008
【図７】
0003120790.tif 000009
【図８】
0003120790.tif 000010